(57)【要約】【課題】第１物体に対し第２物体を接近離反させて該第２物体を該第１物体に対し所定距離まで接近した第１の位置又は該第１物体から所定距離まで離れた第２の位置に配置するにあたり、第２物体を第１の位置又は第２の位置に精度よく再現性良好に配置でき、しかも構成があまり複雑化せず、従って製造コストもそれほど高価とならない２物体間距離調整装置を提供する。【解決手段】例えばレンティキュラレンズ板１２を有するレンズ板装置１（第２物体の１例）を液晶表示装置３（第１物体の１例）に対し板バネ１４で接近離反可能に片持ち支持し、レンズ板装置１を立体画像表示のための第１の接近位置又は平面画像表示のための第２の離反位置に配置可能とし、レンズ板装置１の第１又は第２の位置への配置は往復直線駆動されるカム部材２１とこれに当接するレンズ板装置１上のカム従動部材であるローラ１５により行う。【選択図】  図１
2004163550.tif 000002
【特許請求の範囲】
【請求項１】
定位置に配置された第１物体に対し第２物体を接近離反させて該第２物体を該第１物体に対し所定距離まで接近した第１の位置又は該第１物体から所定距離まで離れた第２の位置に配置する２物体間距離調整装置であり、
前記第２物体を前記第１物体に対し接近離反可能に片持ち支持する可撓性板状部材と、
前記第２物体の前記第１物体に対する接近離反方向を横切る方向に往復直線駆動可能のカム部材と、
前記第２物体上に設けられ、前記カム部材のカム面に当接するカム従動部材とを含んでおり、
前記カム部材のカム面は、該カム部材の往復直線駆動に伴い前記カム従動部材を介して前記第２物体を前記第１物体に対し接近離反させる斜面と、該斜面の一端に連続し、前記第２物体を前記第１位置に配置する下段面と、該斜面の他端に連続し、前記第２物体を前記第２位置に配置する上段面とを有していることを特徴とする２物体間距離調整装置。
【請求項２】
定位置に配置された第１物体に対し第２物体を接近離反させて該第２物体を該第１物体に対し所定距離まで接近した第１の位置又は該第１物体から所定距離まで離れた第２の位置に配置する２物体間距離調整装置であり、
前記第２物体を前記第１物体に対し接近離反可能に片持ち支持する可撓性板状部材と、
前記第１位置に配置される前記第２物体上の少なくとも３箇所の当接部が当接する定位置に設けられた当接位置決め部材と、
前記第２物体の前記第１物体に対する接近離反方向を横切る方向に往復直線駆動可能のカム部材と、
前記第２物体上に設けられ、前記カム部材のカム面に当接するカム従動部材とを含んでおり、
前記カム部材のカム面は、該カム部材の往復直線駆動に伴い前記カム従動部材を介して前記第２物体を前記第１物体に対し接近離反させる斜面と、該斜面の一端に連続し、前記第２物体が前記第１位置に位置することを許す下段面と、該斜面の他端に連続し、前記第２物体を前記第２位置に配置する上段面とを有していることを特徴とする２物体間距離調整装置。
【請求項３】
前記第２物体に前記第１物体の方へ向かう偏倚力を付与するバネ部材を備えている請求項１又は２記載の２物体間距離調整装置。
【請求項４】
前記カム部材は前記カム面の一部である前記上段面にさらに続く斜面及び該斜面に続く上段面の組み合わせをさらに１又は２以上有しており、前記第２物体の前記第２位置を複数段に設定した請求項１、２又は３記載の２物体間距離調整装置。
【請求項５】
前記第１物体は２次元画像表示面を有する画像表示装置であり、前記第２物体は該画像表示装置において表示される２次元画像をそれに接近配置されることで立体元画像として表示でき、該２次元画像から離されることで平面画像として表示できるレンズ板を含むレンズ板装置であり、前記第２物体の第１の位置は該第２物体であるレンズ板装置を介して立体画像を表示するための位置であり、前記第２物体の第２の位置は該第２物体であるレンズ板装置を介して平面画像を表示する位置である請求項１、２又は３記載の２物体間距離調整装置。
【発明の詳細な説明】
【０００１】
【発明の属する技術分野】
本発明は２物体間の距離を調整する装置に関する。
【０００２】
【従来の技術】
今日、２物体間の距離の調整は各種機器分野において行われており、そのための様々の機構が提案され、利用されている。例えば、ネジ機構を利用した２物体間距離調整機構が広く利用されている。
【０００３】
【発明が解決しようとする課題】
しかしながら、第１物体に対し第２物体を接近離反させて該第２物体を該第１物体に対し所定距離まで接近した第１の位置又は該第１物体から所定距離まで離れた第２の位置に配置する場合において、第２物体を第１の位置又は第２の位置に精度よく再現性良好に配置できる、しかも構成があまり複雑化せず、製造コストもそれほど高価とならない２物体間距離調整装置となると、未だ満足できるものは見あたらない。
【０００４】
例えば、２次元画像（平面画像）を２次元画像としても、３次元画像（立体画像）としても観察できるようにする方法として、２次元画像表示面に対し、そのような画像観察を可能とするレンズ板（例えばレンティキュラレンズ板）を３次元画像表示のための所定距離まで接近させた位置に配置したり、２次元画像表示のための所定距離まで遠のいた位置に配置することが知られているが、そのように、レンズ板を品質良好な３次元画像を表示できる適切な接近位置又は品質良好な２次元画像を表示できる適切な離反位置に、精度よく、再現性良好に配置できる、しかも構造が簡単で安価に提供できる装置となると適当なものが見あたらないのが実情である。
【０００５】
そこで本発明は、第１物体に対し第２物体を接近離反させて該第２物体を該第１物体に対し所定距離まで接近した第１の位置又は該第１物体から所定距離まで離れた第２の位置に配置するにあたり、第２物体を第１の位置又は第２の位置に精度よく再現性良好に配置でき、しかも構成があまり複雑化せず、従って製造コストもそれほど高価とならない２物体間距離調整装置を提供することを課題とする。
【０００６】
また、本発明は２次元画像を再現性よく、品質良好な２次元画像としても、品質良好な３次元画像としても観察するのに利用できる、換言すれば再現性よく、品質良好に２次元３次元画像変換可能のディスプレイとして利用できる、それでいて構成があまり複雑化せず、従って製造コストもそれほど高価とならない２物体間距離調整装置を提供することを課題とする。
【０００７】
【課題を解決するための手段】
本発明は前記課題を解決するため、
定位置に配置された第１物体に対し第２物体を接近離反させて該第２物体を該第１物体に対し所定距離まで接近した第１の位置又は該第１物体から所定距離まで離れた第２の位置に配置する２物体間距離調整装置であり、
前記第２物体を前記第１物体に対し接近離反可能に片持ち支持する可撓性板状部材と、
前記第２物体の前記第１物体に対する接近離反方向を横切る方向に往復直線駆動可能のカム部材と、
前記第２物体上に設けられ、前記カム部材のカム面に当接するカム従動部材とを含んでおり、
前記カム部材のカム面は、該カム部材の往復直線駆動に伴い前記カム従動部材を介して前記第２物体を前記第１物体に対し接近離反させる斜面と、該斜面の一端に連続し、前記第２物体を前記第１位置に配置する下段面と、該斜面の他端に連続し、前記第２物体を前記第２位置に配置する上段面とを有している２物体間距離調整装置を提供する。
【０００８】
この２物体間距離調整装置においては、第１物体は定位置に配置しておけば足り、また、第２物体は該第１物体に対し接近離反可能に可撓性板状部材により簡単に片持ち支持されている。第２物体を支持する部材は板状の部材であり、可撓性を有して第２物体の該接近離反方向には撓むことができるが、該接近離反方向を横切る方向、換言すれば前記カム部材の往復直線運動の方向等には変形しがたい。よって、第２物体は前記接近離反方向に容易に動くことができる状態で安定的に片持ち支持されている。
【０００９】
第２物体を第１物体に対し所定距離まで接近した第１の位置又は該第１物体から所定距離まで離れた第２の位置に配置するにはカム部材を移動させれば足りる。すなわち、例えばカム部材を移動させて第２物体上のカム従動部材をカム部材のカム面のうち、斜面に連続する下段面に当接させることで、換言すればカム部材をその位置に配置することで、第２物体は容易に精度よく、第１の位置に配置される。この状態からカム部材を移動させ、第２物体上のカム従動部材をカム面における斜面に登らせ、上段面に配置すれば、第２物体は容易に精度よく、第２の位置に配置される。さらにこの状態からカム部材を反対側に移動させ、カム従動部材をカム面における斜面を下らせ、下段面に配置すれば再び第２物体を第１位置に再現性よく配置できる。
【００１０】
このように第２物体の第１位置への配置又は第２位置への配置は、カム部材を移動させ、それによりこれに当接するカム従動部材を上下動させるだけで簡単に精度よく行える。また、第２物体を第１位置又は第２位置に繰り返し再現性よく配置できる。
【００１１】
カム部材のカム面における前記下段面及び上段面はカム従動部材が丁度嵌合する凹面等でもよいが、平坦面に形成してもよい。特に、該平坦面の何れの部位にカム従動部材が当接しても第２物体の前記第１の位置又は第２の位置が確保される平坦面に形成しておくことが望ましい。このような平坦面に形成しておくことで、第２物体を第１又は第２の位置に配置するにあたり、カム部材をそれだけラフに移動させることができ、しかも容易、確実に第２物体を第１又は第２の位置に配置できる。
【００１２】
また、第２物体を第１位置或いは第２位置に保持するために、特に第２物体を第１物体に接近する第１位置に安定的に、より精度よく保持するために、該第２物体に前記第１物体の方へ向かう偏倚力を付与するバネ部材を設けてもよい。このバネ部材によりカム従動部材を安定的にカム面に当接させて第２物体を安定的に、一層精度よく第１又は第２の位置に配置できる。
【００１３】
以上説明した２物体間距離調整装置においては、第２物体の第１位置はカム従動部材がカム部材のカム面のうち斜面に続く下段面に当接することで得られたが、これに代えて、つぎのようにして第２物体を第１位置に配置するようにしてもよい。すなわち、第１位置に配置される第２物体上の少なくとも３箇所の当接部が当接する当接位置決め部材を定位置に設けておくのである。
【００１４】
第２物体上の少なくとも３箇所の当接部が定位置の当接位置決め部材に当接することで第２物体は第１位置に精度よく配置される。
【００１５】
このように位置決めする場合、カム部材のカム面における前記下段面は、第２物体の当接部の当接位置決め部材への当接により該第２物体が第１位置に位置することを許す面、すなわち、該当接部の当接位置決め部材への当接を妨げることなくな、なおカム従動部材に接触する面、或いは、もはやカム従動部材には接触せず、それから離れた面とする。
【００１６】
いずれにしても、第２物体を第１の位置又は第２の位置に精度よく再現性良好に配置でき、しかも構成があまり複雑化せず、従って製造コストもそれほど高価とならない２物体間距離調整装置が提供される。
【００１７】
なお、例えば第１、第２の物体によっては、カム部材に前記カム面の一部である前記上段面にさらに続く斜面及び該斜面に続く上段面の組み合わせをさらに１又は２以上設け、前記第２物体の前記第２位置を複数段に設定してもよい。
【００１８】
以上説明した２物体間距離調整装置は２物体間の距離の調整が求められる各種分野において利用できる。
【００１９】
例えば、前記第１物体を２次元画像表示面を有する画像表示装置とし、前記第２物体は該画像表示装置において表示される２次元画像（平面画像）をそれに接近配置されることで３次元画像（立体元画像）として表示でき、該２次元画像から離されることで平面画像として表示できるレンズ板を含むレンズ板装置とし、前記第２物体の第１の位置は該第２物体であるレンズ板装置を介して立体画像を表示するための位置とし、前記第２物体の第２の位置は該第２物体であるレンズ板装置を介して平面画像を表示する位置とすれば、画像表示装置において表示される２次元画像を再現性よく、品質良好な２次元画像としても、品質良好な３次元画像としても観察するのに利用できる、換言すれば再現性よく、品質良好に２次元３次元画像変換可能のディスプレイとして利用できる。
【００２０】
前記画像表示装置としては液晶表示装置を代表例として挙げることができるが、それに限定されることはない。平面図画、平面写真等でもよい。
【００２１】
【発明の実施の形態】
以下、本発明の実施形態について図面を参照して説明する。
【００２２】
以下に説明する実施形態の２物体間距離調整装置は、第１物体を２次元画像を表示する液晶表示装置とし、第２物体を画像表示装置において表示される２次元画像（平面画像）をそれに接近配置されることで立体元画像として表示でき、該２次元画像から離されることで平面画像として表示できるレンティキュラレンズ板を含むレンズ板装置としたものである。
【００２３】
図１はそのような２物体間距離調整装置の１例の平面を示しており、図２は図１に示す装置の側面を示している。
【００２４】
図１及び図２に示す装置は、レンズ板装置１並びにその下のレンズ板装置１の駆動装置２及び液晶表示装置３を備えている。図３は基盤Ｂ上に支持されたレンズ板装置１の平面を示しており、図４は基盤Ｂ上に設置された駆動装置２の一部（レンズ板を支持する部分等）の平面を示している。
【００２５】
また、図５はレンズ板装置１の一部、駆動装置２及び液晶表示装置３等の側面を示しており、図６はレンズ板装置１、駆動装置２の一部（モータを含む駆動部）及び液晶表示装置３等の側面を示している。
【００２６】
液晶表示装置３は基盤Ｂ上の定位置に固定設置されている。
【００２７】
図１、図３等から分かるように、レンズ板装置１は中空の四角形状枠体１１及びその下面に当てがわれたレンティキュラレンズ板１２を含んでおり、レンティキュラレンズ板１２はクリップ１２１により４箇所で枠体１１に固定されている。
【００２８】
基盤Ｂの図１、図３中上側片に沿う領域の左右領域のそれぞれに柱１３１が立設されているとともに該左右柱１３１の間にそれらと同じ高さの横長の柱１３２が立設されており、それら柱１３１、１３２に図１及び図３において門形状を呈する板バネ１４が固定されている。板バネ１４はレンズ板装置１を片持ち支持する可撓性板状部材の代表例である。該板バネ１４は左右の腕部分１４１を有し、それらはレンズ板装置１の枠体１１の左右外側領域へ延び、そこで該腕１４１の自由端部が枠体１１の左右から突出するバネ連結腕１１１に接続固定されている。かくして、図６等に示すように、レンズ板１２を搭載した枠体１１を含むレンズ板装置１が板バネ１４により基盤Ｂの上方に片持ち支持され、基盤Ｂ上の液晶表示装置３の２次元画像表示面３１に上方から臨み、且つ、レンズ板１２が２次元画像表示面３１に平行となり得るように配置されている。
【００２９】
レンズ板装置１の枠体１１の、図１及び図３において上下の側面には、枠体１１の各角部分近傍において、軸棒１５１がレンズ板１２と平行に突設されており、各軸棒１５１にローラ１５が回転自在に嵌合されている。このローラ１５は後述するカム部材のカム面に当接するカム従動部材として用いられる。
【００３０】
また、枠体１１の４隅角部分には、位置決め用ボルト１６が螺合貫通されており、これに回り止めナット１６１が螺合されている。
【００３１】
これらボルト１６のそれぞれに対応して枠体１１の下方に、該ボルト１６が当接するための当接位置決め柱１７が配置され（図１等参照）、各位置決め柱１７は、図２及び図６に示すように、基盤Ｂに固定立設されている。なお各柱１７は液晶表示装置３の基部３２に設けた孔３２１を貫通して基盤Ｂに立設されている。各当接位置決め柱１７の頂面は、液晶表示装置３の画像表示面３１から同じ高さ位置にある。  レンズ板装置１の枠体１１に設けた各位置決めボルト１６の下端は該位置決め柱１７の頂面に当接することができ、該ボルト１６の枠体下方への突出量を調節することで、全てのボルト１６を対応する柱１７の頂面に当接させ、且つ、レンズ板１２を液晶表示装置３の画像表示面３１に平行となる姿勢に安定的に精度よく配置できる。突出量を調節したボルト１６は回り止めナット１６１を緊締することで回り止めすることができる。
【００３２】
また、このようにボルト１６が柱１７の頂面に当接し、レンズ板１２が液晶表示装置３の画像表示面３１に平行な姿勢をとるときのレンズ板装置１の位置は該レンズ板１２により液晶表示装置３により表示される２次元画像を品質良好な３次元画像で見せる第１の位置である。
【００３３】
すなわち図示の例では、各柱１７がレンズ板装置１のための当接位置決め部材であり、これに当接する各ボルト１６がレンズ板装置１における当接部である。
【００３４】
各ボルト１６が位置決め柱１７の頂面に当接し、レンズ板１２が画像表示面３１に平行となるようにレンズ板装置１を第１の位置に保持するための、レンズ板装置１を液晶表示装置３の方へ引っ張るコイルバネ１８も設けられている（図１、図２、図６等参照）。
【００３５】
図１、図６等に示すように、バネ１８は各ボルト１６の近傍において枠体１１に設けたバネ掛け部材１８１と基盤Ｂとの間に張設されている。バネ１８は液晶表示装置３の基部３２に設けた図示省略の孔を貫通して基盤Ｂに連結されている。
【００３６】
レンズ板装置１は以上説明したように３次元画像表示のための第１の位置に安定的に精度よく配置できるのであるが、レンズ装置１は、引っ張りバネ１８に抗して液晶表示装置の画像表示面３１から所定距離離し、レンズ板１２を介して２次元画像を表示するための第２の位置にも配置できる。レンズ板装置１のこのような第１の位置又は第２の位置への配置は後述するようにレンズ板装置駆動装置２により行う。
【００３７】
レンズ板装置１が画像表示面３１から離れすぎて前記の片持ち支持用の板バネ１４等に余計な負荷や予期せぬ負荷等が加わったり、装置部材相互の位置関係が狂ったりしないようにするための手段も設けられている。
【００３８】
すなわち、図１、図３に示すように、各バネ掛け部材１８１の近傍において枠体１１に孔１９１が開けられており、該孔１９１にボルト１９が遊嵌している。該ボルト１９は基盤Ｂに立設され、液晶表示装置３の基部３２に設けた図示省略の孔を貫通して前記枠体の孔１９１に遊嵌し、枠体１１の上方まで突出している。該突出部分には孔１９１の内径より外径の大きいナット１９２が螺合している。このナット１９２は枠体１１から若干浮いた位置にあり、従ってレンズ板装置１の第２位置への配置に支障はないが、必要以上にレンズ板装置１が液晶表示装置３から離れることを防止する。
【００３９】
駆動装置２は、図１、図２、図４等に示すように、四つのカム部材２１、これらカム部材を立設固定した四角形状の中空枠体２２、カム部材２１に貫通した一対のシャフト２３を含んでおり、さらに図１、図２、図５等に示すように、枠体２２をカム部材２１とともに往復直線駆動する駆動部２４を含んでいる。
【００４０】
カム部材２１はレンズ板装置枠体１１の側面に設けた４本のカム従動部材として用いるローラ１５のそれぞれに対応してローラ１５の下に配置されており、これらカム部材の相互の位置関係及びローラ１５に対する位置関係を規定するために中空枠体２２上に固定立設されている。枠体２２の中空領域はレンズ板装置のレンズ板１２を介して液晶表示装置の画像表示面３１を観察することを妨げないものである。
【００４１】
一対のシャフト２３のうち一方は枠体２２の図４中上側片部分上に設置された二つのカム部材２１を貫通しており、他方は枠体２２の図４中下側片部分上に設置された二つのカム部材２１を貫通しており、各シャフト２３はその両端部で基盤Ｂ上に立設した軸受け部材２３１に支持されている。各軸受け部材２３１はその上面にＶ字カット凹所を形成してあり、シャフト２３の端部がそこに嵌められ、上側から可撓性板部材２３２が当てがわれ、該部材２３２の両端部が軸受け部材２３１の頂面にネジ留めされている。なお、図２、図５では、左側の軸受け部材２３１等は後述する駆動部２４を示すために細線でその輪郭を示してある。
【００４２】
両シャフト２３は互いに平行に、且つ、液晶表示装置３の画像表示面３１とも平行に配置されている。かくしてカム部材２１はシャフト２３上を摺動してレンズ板装置１の画像表示装置３に対する接近離反方向を実質上直角に横切る方向Ｘに枠体２２と共に往復直線運動できる。
【００４３】
枠体駆動部２４は、図２等に示すように、基盤Ｂの片側端部の切り欠き凹所ｂ（図４参照）には嵌め込まれて該基盤にボルト２４１で固定されたフレーム２４２、このフレーム２４２の内側面に支持されるとともに基盤Ｂの下面に支持されたモータＭ、フレーム２４２の内側に回転可能に支持された雄ネジ部２４３、モータＭの回転を雄ネジ部２４３に伝達する歯車伝動装置Ｇ、雄ネジ部２４３に螺合した雌ネジ部２４４及び該雌ネジ部２４４に設けた円周溝２４５に摺動可能に嵌合する一方、前記枠体２２に連結固定された連結部材２４６を含んでいる。
【００４４】
歯車伝動装置Ｇは、フレーム２４２に対向して配置され、フレーム２４２に３本の間隔部材２４７を介して取り付けられたカバー板２４８とフレーム２４２との間に回転可能に設けられた歯車列からなっている。該歯車列のうち一つはモータＭの回転軸上の歯車ｇ１であり、もう一つは前記雄ネジ部２４３と同軸上の歯車ｇ２である。
【００４５】
かくしてモータＭを運転することで雄ネジ部２４３を回転させ、それに螺合している雌ネジ部２４４を前記Ｘ方向に移動させ、これに嵌合している連結部材２４６もＸ方向に駆動して枠体２２を、従ってそれに搭載されているカム部材２１をＸ方向に往復直線駆動することができる。
【００４６】
各カム部材２１はその上面が前記レンズ板装置１におけるローラ１５が当接するカム面２１１となっており、図２、図５等に示すように、該カム面のうち中央部が斜面２１１ａに、該斜面の一端に続く部分が下段平坦面２１１ｂに、該斜面の他端に続く部分が上段平坦面２１１ｃに形成されている。
【００４７】
ローラ１５が上段平坦面２１１ｃに当接するときレンズ板装置１は液晶表示装置３より表示される画像をレンズ板１２を介して２次元画像（平面画像）として表示する第２の位置に置かれ、且つ、そのときレンズ板装置１は前記の引っ張りバネ１８によりその位置に安定的に精度良く配置される。該上段平坦面２１１ｃはそれのいずれの部位にローラ１５が当接してもレンズ板装置１を第２の位置に配置できる平坦面である。
【００４８】
ローラ１５が下段平坦面２１１ｂに対向する位置に配置されると、既述のように、レンズ板装置１上の位置決めボルト１６が基盤Ｂに立設された位置決め柱１７の頂面に当接し、レンズ板装置１は液晶表示装置３より表示される画像をレンズ板１２を介して３次元画像（立体画像）として表示する第１の位置に置かれ、且つ、そのときレンズ板装置１は前記の引っ張りバネ１８によりその位置に安定的に精度良く配置される。このときローラ１５は下段平坦面２１１ｂより若干浮き上がった位置をとる。
【００４９】
位置決めボルト１６及びこれが当接する位置決め柱１７を省略し、下段平坦面２１１ｂにローラ１５を当接させることでレンズ板装置１を第１の位置に配置するようにしてもよい。その場合には、カム面２１１における下段平坦面２１１ｂをそれのいずれの部位にローラ１５が位置してもレンズ板装置１を第１の位置に配置できる平坦面とすればよい。
【００５０】
ローラ１５がカム面２１１から脱落することを防止するために、枠体２２の外側領域に二つの移動制限リミットスイッチＬＳ１、ＬＳ２が配置してあり、枠体２２にはこれら両スイッチの間に位置するスイッチ起動部材２２１を突設してある。
【００５１】
以上説明した２物体間距離調整装置によると、第１物体（ここでは液晶表示装置３）は基盤Ｂ上の定位置に配置しておけば足り、また、第２物体（ここではレンズ板１２を搭載したレンズ板装置１）は液晶表示装置３に対し接近離反可能に可撓性を有する板バネ１４により簡単に片持ち支持されている。レンズ板装置１を支持する部材は板状の板バネ１４であり、可撓性を有してレンズ板装置１の液晶表示装置３に対する接近離反方向には撓むことができるが、該接近離反方向を横切る方向、換言すればカム部材２１の往復直線運動の方向等には変形しがたい。よって、レンズ板装置１はその接近離反方向に容易に動くことができる状態で安定的に、安価に片持ち支持されている。
【００５２】
レンズ板装置１を液晶表示装置３に対し所定距離まで接近した、３次元画像表示のための第１の位置又は液晶表示装置３から所定距離まで離れた、２次元画像表示のための第２の位置に配置するにはカム部材２１を移動させれば足りる。すなわち、カム部材２１を駆動してレンズ板装置１上のローラ１５をカム部材２１のカム面２１１のうち、斜面２１１ａに連続する下段面に臨ませることで、レンズ板装置１は容易に精度よく、第１の位置に配置される。この状態からカム部材２１を移動させてローラ１５をカム面２１１における斜面２１１ａに登らせ、上段平坦面２１１ｃに配置すれば、レンズ板装置１は容易に精度よく、第２の位置に配置される。さらにこの状態からカム部材２１を反対側に移動させ、ローラ１５にカム面における斜面２１１ａを下らせ、下段平坦面２１１ｂに臨む位置に配置すれば、再びレンズ板装置１を第１位置に再現性よく配置できる。
【００５３】
また、レンズ板装置１を第１位置と第２位置間に往復動させる間、画像表示装置３の画像表示面３１とレンズ板装置１のレンズ板１２とは平行な状態に保たれ、第１位置、第２位置においても同様に平行状態に保たれ、品質良好な３次元画像又は２次元画像の表示が可能である。
【００５４】
かくして、レンズ板装置１の第１位置への配置又は第２位置への配置は、カム部材２１を移動させ、それによりこれに当接するレンズ板装置上のローラ１５を上下動させるだけで簡単に精度よく行える。また、レンズ板装置１を第１位置又は第２位置に繰り返し再現性よく配置できる。
【００５５】
また、カム部材２１等を含むレンズ板装置１の駆動装置２はそれほど構造が複雑なものではなく、簡単、安価に製作できる。
【００５６】
なお、レンズ板１２と画像表示面３１間の平行を一層精度よくだすため、前記ローラ１５として外径が僅かずつ異なるものを準備しておき、それらを必要に応じ取り替えて、レンズ板１２の傾きを前記平行を精度よく得るように補正するようにしてもよい。
【００５７】
【発明の効果】
以上説明したように本発明によると、第１物体に対し第２物体を接近離反させて該第２物体を該第１物体に対し所定距離まで接近した第１の位置又は該第１物体から所定距離まで離れた第２の位置に配置するにあたり、第２物体を第１の位置又は第２の位置に精度よく再現性良好に配置でき、しかも構成があまり複雑化せず、従って製造コストもそれほど高価とならない２物体間距離調整装置を提供することができる。
【００５８】
また、本発明は２次元画像を再現性よく、品質良好な２次元画像（平面画像）としても、品質良好な３次元画像（立体画像）としても観察するのに利用できる、換言すれば再現性よく、品質良好に２次元３次元画像変換可能のディスプレイとして利用できる、しかも構成があまり複雑化せず、従って製造コストもそれほど高価とならない２物体間距離調整装置を提供することができる。
【図面の簡単な説明】
【図１】本発明に係る２物体間距離調整装置の１例の平面図である。
【図２】図１に示す装置の側面図である。
【図３】基盤上に支持されたレンズ板装置の平面図である。
【図４】基盤上に設置されたレンズ板装置駆動装置の一部（レンズ板を支持する部分等）の平面図である。
【図５】レンズ板装置の一部、レンズ板装置駆動装置及び液晶表示装置等を示す側面図である。
【図６】レンズ板装置、レンズ板装置駆動装置の一部（モータを含む駆動部）及び液晶表示装置等を示す側面図である。
【符号の説明】
１  レンズ板装置
１１  中空の四角形状枠体
１１１  枠体のバネ連結腕
１２  レンティキュラレンズ板
１２１  クリップ
１３１、１３２  板バネ支持柱
１４  板バネ
１４１  板バネの左右腕部分
１５  ローラ
１５１  ローラ軸棒
１６  位置決め用ボルト
１６１  回り止めナット
１７  当接位置決め柱
１８  引っ張りコイルバネ
１８１  バネ掛け部材
１９  ボルト
１９１  枠体孔
１９２  ナット
２  レンズ板装置の駆動装置
３  液晶表示装置
３１  ２次元画像表示面
３２  液晶表示装置基部
３２１  基部孔
Ｂ  基盤
ｂ  基盤Ｂの切り欠き凹所
Ｘ  カム部材移動方向
２１  カム部材
２１１  カム面
２１１ａ  斜面
２１１ｂ  下段平坦面
２１１ａ  上段平坦面
２２  中空枠体
２２１  スイッチ起動部材
２３  シャフト
２４  駆動部
２３１  軸受け部材
２３２  可撓性板部材
２４１  ボルト
２４２  フレーム
２４３  雄ネジ部
２４４  雌ネジ部
２４５  該雌ネジ部の円周溝
２４６  連結部材
２４７  間隔部材
２４８  カバー板
Ｍ  モータ
Ｇ  歯車伝動装置
ｇ１  モータ回転軸上の歯車
ｇ２  雄ネジ部２４３と同軸上の歯車
ＬＳ１、ＬＳ２  リミットスイッチ
【図１】
2004163550.tif 000003
【図２】
2004163550.tif 000004
【図３】
2004163550.tif 000005
【図４】
2004163550.tif 000006
【図５】
2004163550.tif 000007
【図６】
2004163550.tif 000008